(57)【要約】【課題】足先から発せられる体温を効率よく反射させることで、冬季等の低温期の保温効果を効率よく高めることができ、さらに甲板内に足を滑り込ませた際、肌触りを向上させ、心地よい感触やフィット感を得ることができるスリッパを提供する。【解決手段】底板と甲被とで構成されるスリッパにおいて、前記底板の上面に、下層から順次、断熱層、吸音層、熱反射アルミ層、保温層を積層した中敷シートを備えたスリッパである。前記中敷シートの上面に保温ボア層を積層することが好ましい。【選択図】図１
0003135999.tif 000002
【実用新案登録請求の範囲】
【請求項１】
底板と甲被とで構成されるスリッパにおいて、前記底板の上面に、下層から順次、断熱層、吸音層、熱反射アルミ層、保温層を積層した中敷シートを備えたことを特徴とするスリッパ。
【請求項２】
前記熱反射アルミ層に孔を備えた請求項１記載のスリッパ。
【請求項３】
前記中敷シートの上面に保温ボア層を積層した請求項１または２記載のスリッパ。
【請求項４】
前記保温ボア層が、前記中敷シートの上面から甲被下面および甲被周縁にかけて配設されている請求項３記載のスリッパ。
【考案の詳細な説明】
【技術分野】
【０００１】
本考案は、底板と甲被とで構成されるスリッパにおいて、特に、足先から発せられる体温を効率よく反射させることで、冬季等の低温期の保温効果を効率よく高めることができるスリッパに関する。
【背景技術】
【０００２】
底板と甲被とで構成され、甲被内に足を滑り込ませて履くスリッパは、病院、学校、旅館等の公共施設で使用する業務用スリッパと、デザインや履き心地を重視した家庭用スリッパがある。また、体温を逃さないとともに足を刺激してマッサージ効果を与えることができる、軽量で、移動範囲が制限されない保温スリッパがある（例えば特許文献１参照）。
【０００３】
上記特許文献１の保温スリッパは、底部と、中敷と、甲板とからなり、足の裏が当たる中敷の表地と、足の甲が当たる甲板の裏地が保温シートで形成されている。この保温シートは、柔軟性シートと、柔軟性シートの表面の所定部分に設けられた遠赤外線放射層と、柔軟性シートの表面であって、遠赤外線放射層を除く部分に設けられた金属膜とで形成されている。
【特許文献１】登録実用新案第３０１９２７７号公報
【考案の開示】
【考案が解決しようとする課題】
【０００４】
しかしながら、従来の保温スリッパは、保温性、フィット感および製造コストの面で必ずしも満足できるものではなかった。例えば、特許文献１に記載されている保温スリッパは、スリッパを製造する工程が多くなり、それに伴い製造コストが高くなるという問題があった。また、甲板内に足を滑り込ませた際、心地よい感触やフィット感が得られないという欠点もあった。
【０００５】
そこで、本考案の目的は、上記問題点を解消し、足先から発せられる体温を効率よく反射させることで、冬季等の低温期の保温効果を効率よく高めることができ、さらに甲板内に足を滑り込ませた際、肌触りが向上し、心地よい感触やフィット感を得ることができるスリッパを提供することにある。
【課題を解決するための手段】
【０００６】
本考案は、上記課題を解決するために、底板と甲被とで構成されるスリッパにおいて、前記底板の上面に、下層から順次、断熱層、吸音層、熱反射アルミ層、保温層を積層した中敷シートを備えたことを特徴とするものである。
【０００７】
また、前記熱反射アルミ層に孔を備えてもよい。さらに、前記中敷シートの上面に保温ボア層を好適に積層することができる。さらにまた、保温ボア層は、前記中敷シートの上面から甲被下面および甲被周縁にかけて配設されていることが好ましい。
【考案の効果】
【０００８】
本考案によれば、下層から順次、断熱層、吸音層、熱反射アルミ層、保温層を積層した中敷シートを備えたことで、装着時に足先から発せられる体温を効率よく反射させることが可能になる。
【０００９】
また、中敷シートの上面から甲被下面および甲被周縁にかけて保温ボア層を積層したことで、甲板内に足を滑り込ませた際、肌触りが向上し、心地よい感触やフィット感を得ることができる。
【考案を実施するための最良の形態】
【００１０】
以下、本考案におけるスリッパの実施の形態を図面に基づいて説明する。
図示するスリッパ１は、底板２と甲被３とで構成され、底板２の上面に、下層から順次、断熱層１１、吸音層１２、熱反射アルミ層１３、保温層１４を積層した中敷シート１０を備えたことを特徴とする。尚、層構成を明確にするために、図３においては各層間に隙間を設けているが、実際、各層は密着している。
【００１１】
断熱層１１は、外部の床面や雰囲気温度との断熱を行うためのものである。断熱層１１には、発泡樹脂、例えば、発泡ポリウレタン、発泡ポリオレフィン、発泡ポリ塩化ビニル（ＰＶＣ）等の素材が好ましい。
【００１２】
断熱層１１の上面に積層される吸音層１２は、例えばポリエチレンの素材からなる。断熱層１１の上面に吸音層１２を積層することで、歩行中、底板２が床面に打ち付ける際に発生するパタパタという雑音を軽減することができる。
【００１３】
吸音層１２の上面に積層される熱反射アルミ層１３は、甲板内に足を滑り込ませた際、足先から発せられる体温を効率よく反射させる作用を有する。熱反射アルミ層１３には、放射を受けて熱を反射する素材、例えばアルミライナー（アルミニウムをシート化したもの）を好適に使用することができる。なお、吸音層１２および熱反射アルミ層１３は、熱溶着または接着剤等により一体化されている。
【００１４】
かかる熱反射アルミ層１３には孔を設けることができる。これにより、通気性がよくなり、足のムレなどを防止でき、より快適になる。孔の大きさは通気性があれば特に限定されないが、保温効果も考慮して０．１〜５．０ｍｍが好ましい。
【００１５】
熱反射アルミ層１３の上面に積層される保温層１４は、例えば、ポリエステル綿からなる。保温層１４は、足先に直接温感を与える層であることから、使用開始直後でも温感を良好にするとともに、熱反射アルミ層１３からの反射熱をより効果的に足先（つま先や足裏）に伝えるようにするためにも、その厚さは１〜３ｍｍ程度とすることが好ましい。
【００１６】
また他の好適例として、中敷シート１０の上面（保温層１４の上面）に保温ボア層１５を積層した。保温ボア層１５は、表面全体が起毛されてふわっとしたボリューム感があり、且つ柔軟でクッション性を有する。保温ボア層１５を中敷シート１０の上面に積層することで、甲板内に足を滑り込ませた際、足裏に心地よい肌触りやフィット感を与えることができる。
【００１７】
さらに他の好適例として、保温ボア層１５は、中敷シート１０の上面から甲被３下面および甲被３の周縁４にかけて配設することが望ましい。保温ボア層１５を前記の範囲にかけて配設することにより、着用時、甲被３の周縁４から冷気が侵入することを軽減する。また、甲板内に足を滑り込ませた際、足裏、足先、甲全体に心地よい感触やフィット感を与えることができる。
【図面の簡単な説明】
【００１８】
【図１】本考案のスリッパの一部を切欠した状態の全体図である。
【図２】前記スリッパの断面図である。
【図３】層構成を明確にする拡大断面図である。
【符号の説明】
【００１９】
１    スリッパ
２    底板
３    甲被
４    周縁
１０  中敷シート
１１  断熱層
１２  吸音層
１３  熱反射アルミ層
１４  保温層
１５  保温ボア層
【図１】
0003135999.tif 000003
【図２】
0003135999.tif 000004
【図３】
0003135999.tif 000005